(57)【要約】【課題】軽量かつ小型で携帯に便利な使い勝手の良い滑り止め具を提供する。【解決手段】滑り止め具１は、靴の先端部に掛架される第１の空隙２ａをもってなる上掛架部２と、ピン３ｄが凸設された凹凸面３と、靴の後端部に掛架される第２の空隙４ａをもってなる下掛架部４と、が表面に一体形成されている。略楕円形の凹凸面３は、略楕円形の第１凸条３ａが周囲に形成され、第１凸条３ａ内に、複数の第２凸条３ｂと略円形の第３凸条３ｃとが形成され、第３凸条３ｃの穴に円柱状のピン３ｄが凸設されている。また、第３凸条３ｃには、ピン３ｄから放射状に第４凸条３ｅが形成されている。【選択図】図１
2009090032.tif 000002
【特許請求の範囲】
【請求項１】
靴に装着され、雪や氷の上を歩行する際の滑り止め具であって、
上部は、靴の先端部に掛架される第１の空隙をもってなる上掛架部が、
中部は、ピンが凸設された凹凸面が、
下部は、靴の後端部に掛架される第２の空隙をもってなる下掛架部が、
表面に一体形成されていることを特徴とする滑り止め具。
【請求項２】
前記第２の空隙は、前記第１の空隙よりも大きいことを特徴とする請求項１記載の滑り止め具。
【請求項３】
前記凹凸面の裏面には、凸条が形成されていることを特徴とする請求項１又は２記載の滑り止め具。
【発明の詳細な説明】
【技術分野】
【０００１】
本発明は、雪道や氷道などの滑り易い地面を歩行する際に、歩行者の靴に装着される滑り止め具に関する。
【背景技術】
【０００２】
雪道や氷道などの滑り易い地面を歩行する際には、靴底にスパイクを備えた登山靴や、滑り止めの凹凸面を刻んだゴム製の靴底を有するキャラバンシューズ、長靴、トレッキングシューズが使用されている。
【０００３】
一方で、通勤時や通常のレジャーに使用する靴（ヒール、ブーツ、ビジネスシューズ）は、舗装された道を歩くことが大半であるので、その靴底は平坦である。そのため、雪が降ったり、路面が凍結している場合は、平坦な靴底では十分な滑り止め機能を有しないために、転倒事故やスリップ事故が起こり易い。
【０００４】
特に、雪が降り積もったり、路面が凍結していることが分かっていても、十分な滑り止め機能を有しない靴を使用することが多い。これは、見た目を気にする若者や都会には長靴等は敬遠されがちで、また、普段履き慣れた靴で歩行する方が履き慣れない長靴等より安全と思われるからである。
【０００５】
このため、普段履き慣れた通常の靴に対して簡単に装着することができ、歩行者の転倒を防止して軽快に歩くことができる滑り止め具（図７）が存在する（特許文献１）。図７に示す従来の滑り止め具は、前部ベルト１０を靴の先端部に引っ掛け、後部ベルト１２を靴の後端部に引っ掛けるものであり、略台形状チェーンや略三角形状チェーンを滑り止め部材１１として連結している。
【０００６】
【特許文献１】登録実用新案第３０２９３３８号公報（図２、明細書００１７）
【発明の開示】
【発明が解決しようとする課題】
【０００７】
しかしながら、図７に示すような従来の滑り止め具は、環状に連結されたチェーンを滑り止め部材としていることから、持ち運ぶ際に重さを感じ、携帯に不便である。
【０００８】
また、靴に装着して歩行する際に、連結されたチェーンで囲まれた領域内に歩行者の体重がかかることになるが、この領域内に歩行者の足裏が食い込むこととなり、歩きにくい、痛い、疲れやすいという問題があり、使い勝手が悪かった。特に、靴底の薄い靴に装着した場合には、交鎖されたチェーンの凹凸を足裏で感じ取ることができ、歩行する度にチェーンを踏みつける感触がして、使い勝手が悪かった。
【０００９】
本発明は、このような点に鑑みてなされたものであり、その目的は、軽量かつ小型で携帯に便利な使い勝手の良い滑り止め具を提供することにある。
【課題を解決するための手段】
【００１０】
以上のような課題を解決するために、本発明は、靴の先端部に掛架される第１の空隙をもってなる上掛架部と、ピンが凸設された凹凸面と、靴の後端部に掛架される第２の空隙をもってなる下掛架部と、が表面に一体形成されていることを特徴とする。
【００１１】
より具体的には、本発明は、以下のものを提供する。
【００１２】
（１）  靴に装着され、雪や氷の上を歩行する際の滑り止め具であって、上部は、靴の先端部に掛架される第１の空隙をもってなる上掛架部が、中部は、ピンが凸設された凹凸面が、下部は、靴の後端部に掛架される第２の空隙をもってなる下掛架部が、表面に一体形成されていることを特徴とする滑り止め具。
【００１３】
本発明によれば、第１の空隙及び第２の空隙が上部及び下部にそれぞれ離間して形成され、それらの間にピンが凸設された凹凸面が形成されていることから、かかる凹凸面によって滑り止め機能を発揮することができる。特に、凹凸面にピンが凸設されていることから、ピンが雪面や氷面や地面に引っ掛かることにより滑り止め機能をより発揮することができる。
【００１４】
また、凹凸面がゴム等の樹脂で形成されていることから、軽量である。
【００１５】
（２）  前記第２の空隙は、前記第１の空隙よりも大きいことを特徴とする滑り止め具。
【００１６】
本発明によれば、靴の先端部に掛架される第１の空隙と靴の後端部に掛架される第２の空隙との大きさに関して、先端部よりも後端部の方が大きい靴（靴底）の形状に合わせて、第２の空隙が第１の空隙よりも大きいこととしたから、靴に装着された滑り止め具が靴底をはみ出ることがなく、見た目が気にならない滑り止め具を提供することができる。
【００１７】
（３）  前記凹凸面の裏面には、凸条が形成されていることを特徴とする滑り止め具。
【００１８】
本発明によれば、凹凸面の裏面に凸条が形成されていることから、凹凸面に歩行者の体重がかかる際に、凸条がクッションの機能を発揮して、歩行者の足裏への負担を軽減することができる。また、凸条によって、靴底と滑り止め具の摩擦が増加し、靴底から滑り止め具が外れるのを防ぐことができる。
【発明の効果】
【００１９】
以上説明したように、本発明は、チェーン等の重量感のある滑り止め部材を用いることなくゴム等の樹脂による軽量かつ小型な、また、歩行者の足裏への負担を軽減した使い勝手の良いものである。
【発明を実施するための最良の形態】
【００２０】
［表面形状］
図１は、本発明の実施の形態に係る滑り止め具１の表面（正面）図である。
【００２１】
滑り止め具１は、上掛架部２と、凹凸面３と、下掛架部４と、舌片５と、が表面に一体形成されている。表面は、靴に装着された際に地面に接する面である。
【００２２】
上掛架部２は、第１の空隙２ａをもってなり、靴の先端部（つま先部分）に掛架される孔であり、弓形状（三日月形状）を呈してなる。また、下掛架部４は、第２の空隙４ａをもってなり、靴の後端部（かかと部分）に掛架される孔であり、三角形状を呈してなる。第２の空隙４ａは、第１の空隙２ａよりも大きい面積を有し、第１の空隙２ａは靴の先端部に掛架される程度であるが、第２の空隙４ａは靴底を覆うことなく靴の後端部に掛架される。
【００２３】
凹凸面３は、他の箇所（第１の空隙２及び第２の空隙４周辺）よりも厚手に形成されており、歩行者の足裏への負担を軽減している。具体的には、略楕円形の凹凸面３は、略楕円形の第１凸条３ａが周囲に形成され、第１凸条３ａ内に、複数の第２凸条３ｂ（第２凸条３ｂは、第１凸条３ａと略同一か低い高さ）と略円形の第３凸条３ｃ（第３凸条３ｃは、第１凸条３ａよりも高く、第２凸条３ｂよりも低い）とが形成され、第３凸条３ｃの穴に円柱状のピン３ｄが凸設されている。また、第３凸条３ｃには、ピン３ｄから放射状に第４凸条３ｅが形成されている。このように、複数の複雑な凸条が形成された凹凸面３によって、滑り止め機能を発揮する。なお、ピン３ｄは、先が尖ったものよりも円柱状のものが安全面から好ましい。
【００２４】
舌片５は、滑り止め具１を靴に装着する際に、靴の後端部に掛架するときの取手部分であり、第１の空隙２ａ及び第２の空隙４ａの周辺よりも幅をもたせて、引っ張り強度を高めている。
【００２５】
［裏面形状］
図２は、本発明の実施の形態に係る滑り止め具１の裏面（背面）図である。
【００２６】
滑り止め具１は、第１の空隙２ａと、凸条６と、第２の空隙４ａと、舌片５と、が裏面に一体形成されている。裏面は、靴に装着された際に靴底に接する面である。なお、第１の空隙２ａ及び第２の空隙４ａは、表面形状で説明したのと同様である。
【００２７】
凸条６は、表面における凹凸面３の裏面に形成された、クッションの機能及び靴底から外れるのを防ぐ機能を持つ突起物である。凸条６は、凹凸面３よりも薄手に形成され、歩行者の足裏への感触がないようにしている。
【００２８】
第１の空隙２ａの上方、第２の空隙４ａの下方、舌片５には、凸条７，８，９がそれぞれ形成され、凸条７は靴の先端部に掛架する際の、凸条８，９は靴の後端部に掛架する際のつまみとして、それぞれ機能する。特に、靴の先端部に掛架した後に後端部に掛架する場合は、舌片５を引っ張って掛架することから、凸条９のつまみのストッパー機能を十分にするためにも、他の凸条７，８より太い凸条を形成してなる。
【００２９】
［平面・底面・側面形状］
図３は、本発明の実施の形態に係る滑り止め具１の平面図、図４は、本発明の実施の形態に係る滑り止め具１の底面図、図５は、本発明の実施の形態に係る滑り止め具１の左側面図、図６は、本発明の実施の形態に係る滑り止め具１の右側面図である。
【産業上の利用可能性】
【００３０】
本発明に係る滑り止め具は、軽量かつ小型で、歩行者の足裏への負担を軽減した使い勝手の良いものとして有用である。
【図面の簡単な説明】
【００３１】
【図１】本発明の実施の形態に係る滑り止め具の表面（正面）図である。
【図２】本発明の実施の形態に係る滑り止め具の裏面（背面）図である。
【図３】本発明の実施の形態に係る滑り止め具の平面図である。
【図４】本発明の実施の形態に係る滑り止め具の底面図である。
【図５】本発明の実施の形態に係る滑り止め具の左側面図である。
【図６】本発明の実施の形態に係る滑り止め具の右側面図である。
【図７】従来の滑り止め具を示す図である。
【符号の説明】
【００３２】
１    滑り止め具
２    上掛架部
２ａ  第１の空隙
３    凹凸面
４    下掛架部
４ａ  第２の空隙
５    舌片
６，７，８，９  凸条
１０  前部ベルト
１１  滑り止め部材（チェーン）
１２  後部ベルト
【図１】
2009090032.tif 000003
【図２】
2009090032.tif 000004
【図３】
2009090032.tif 000005
【図４】
2009090032.tif 000006
【図５】
2009090032.tif 000007
【図６】
2009090032.tif 000008
【図７】
2009090032.tif 000009